(57)【要約】【課題】サニタリー用品などでも細かく粉砕できるようにする。【解決手段】便器本体２０の溜まり部１８内にはいされた粉砕手段７０は噛合する複数の回転刃７４，７６からなる回転刃部材７０Ａ，７０Ｂを有する。粉砕手段の上方に粉砕対象物の掻き込み手段８０を配置する。掻き込み手段は掻き込み刃を有する複数の回転体よりなる掻き込み用回転部材８０Ａ，８０Ｂで構成される。汚物が落下するとその自重により開閉蓋２１２が開いて溜まり部内に落下する。落下した汚物は掻き込み手段によって粉砕手段側に掻き込まれ、掻き込まれた汚物は回転刃の作用で細かく粉砕される。粉砕された粉砕物は溜まり部内を経由して排出される。溜まり部側に落とし込まれたサニタリー用品も掻き込み手段によって掻き込まれながら粉砕手段側に誘導され、そして回転刃によって切断されながら粉砕される。流状化した粉砕物は圧送されて便器本体より排出される。【選択図】        図１
2007239263.tif 000002
【特許請求の範囲】
【請求項１】
便器本体の開口部側から洗浄水を吐出する給水口と、該開口部の底部に設けられた溜まり部と、この溜まり部と連通する排出口とを備えた便器本体と、
上記溜まり部内に臨むように配設された粉砕手段と、
上記粉砕手段の上方に配設された掻き込み手段とで構成され、
上記粉砕手段は、互いに噛合し合う少なくとも一対の回転刃部材を有し、
上記回転刃部材は、同軸上に所定の間隔を保持して設けられた複数の回転刃で構成され、
上記掻き込み手段は、所定の間隔を保持して対向配置された掻き込み用の一対の回転部材で構成された
ことを特徴とする簡易トイレ装置。
【請求項２】
上記掻き込み手段は、複数の爪付き回転体を有する
ことを特徴とする請求項１記載の簡易トイレ装置。
【請求項３】
上記掻き込み手段の上方に設けられると共に、汚物などの粉砕物を圧送する粉砕物圧送手段と、
上記粉砕物圧送手段の上方に設けられると共に、上記溜まり部を密閉する開閉蓋とを備えた
ことを特徴とする請求項１記載の簡易トイレ装置。
【請求項４】
上記排出口の下流側に開閉弁機構を備え、
上記開閉弁機構を閉じた状態で、上記開閉蓋を密閉したのち、上記粉砕物圧送手段を作動させて上記密閉された空間の内圧が所定以上に上昇したのち、上記開閉弁機構を開放状態にする
ことを特徴とする請求項１記載の簡易トイレ装置。
【請求項５】
洗浄水が貯留された溜まり部を備えた便器本体と、
上記溜まり部内に配設された粉砕手段と、
上記粉砕手段の上方に配設された掻き込み手段とで構成され、
上記粉砕手段は、互いに噛合し合う少なくとも一対の回転刃部材を有し、
上記回転刃部材は、同軸上に所定の間隔を保持して設けられた複数の回転刃で構成され、
上記掻き込み手段は、所定の間隔を保持して対向配置された掻き込み用の一対の回転部材で構成された
ことを特徴とするトイレ装置。
【請求項６】
上記掻き込み手段は、複数の爪付き回転体を有する
ことを特徴とする請求項５記載のトイレ装置。
【発明の詳細な説明】
【技術分野】
【０００１】
この発明はサニタリー用品をも粉砕処理できるような粉砕手段を備えた簡易トイレ装置および固定式のトイレ装置に関する。詳しくは、粉砕手段として回転刃を多数備えた回転刃部材を用い、これらを互いに噛合させながら駆動することで、サニタリー用品を効率よく粉砕できるようにすると共に、投下されたサニタリー用品を粉砕手段側に導けるような掻き込み手段を設けることで、サニタリー用品などを確実に粉砕できるようにした、簡易トイレ装置および固定式のトイレ装置に関するものである。
【背景技術】
【０００２】
看護用や介護用として使用される可搬型の簡易トイレ装置の中には水洗式のものがある。この種簡易トイレ装置では、さらに汚物を処理し易くするために、トイレ装置を構成する便器の底部に設けられた溜まり部内に攪拌手段を備えたものがある（例えば特許文献１、特許文献２など）。
【０００３】
攪拌手段を設けることによって、溜まり部内に落下した汚物（排泄物など）を攪拌処理して流状化することで、排出ホース内に汚物が滞留したりしないようにして、汚物の排出処理を確実に行えるようにするためである。
【０００４】
ところで、生理用品などで代表されるサニタリー用品は、使用後直接水洗トイレなどに投棄すると、排水管などが詰まったりするおそれがある。そのため、サニタリー用品などは使用後、トイレに備え付けられた専用のゴミ箱に投棄するか、ポリ袋などに入れてゴミ回収日まで保管し、燃えるゴミとして廃棄処分されるのが普通である。
【０００５】
しかし、トイレ用のティッシュペーパーを始めとして、看護用や介護用として市販されている紙おむつなどを含めたサニタリー用品も汚物と同じように、同じ簡易トイレ装置を用いて処分できれば非常に便利である。サニタリー用品を廃棄するために、その都度水洗トイレに出向いたり、備え付けの袋に廃棄したりしないでも済むからである。
【０００６】
【特許文献１】特開２０００−８４４２号公報
【特許文献２】特開２００１−２７５８８５号公報
【発明の開示】
【発明が解決しようとする課題】
【０００７】
ところで、特許文献１や特許文献２に開示された簡易トイレ装置では、何れも汚物などを処理する手段として攪拌手段が使用されている。便器の溜まり部内に設置された攪拌手段を駆動することで、汚物を粉砕してから排出するようにしているが、汚物はともかくとして、上述したティッシュペーパーや紙おむつなどを含むサニタリー用品についてはこれを粉砕することが困難になる。溜まり部内を攪拌するだけではサニタリー用品などを粉砕するには十分ではないからである。
【０００８】
このような問題は解くに簡易トイレ装置に限られない。家庭などに備えられている固定式のトイレ装置（洋式トイレ）においても、その便器本体内に攪拌手段を備えるだけでは、サニタリー用品などを効果的に粉砕することは難しい。
【０００９】
そこで、この発明はこのような従来の課題を解決したものであって、特に２つの回転刃を互いに噛み合わせた構成の粉砕手段を用いることで、紙おむつなどを含めたサニタリー用品を確実に粉砕処理できるようにすると共に、サニタリー用品などの掻き込み手段を設けることで、サニタリー用品などを確実に粉砕手段側に誘導できるようにした簡易トイレ装置および固定式のトイレ装置を提案するものである。
【課題を解決するための手段】
【００１０】
上述の課題を解決するため、請求項１に記載したこの発明に係る簡易トイレ装置は、便器本体の開口部側から洗浄水を吐出する給水口と、該開口部の底部に設けられた溜まり部と、この溜まり部と連通する排出口とを備えた便器本体と、
上記溜まり部内に臨むように配設された粉砕手段と、
上記粉砕手段の上方に配設された掻き込み手段とで構成され、
上記粉砕手段は、互いに噛合し合う少なくとも一対の回転刃部材を有し、
上記回転刃部材は、同軸上に所定の間隔を保持して設けられた複数の回転刃で構成され
上記掻き込み手段は、所定の間隔を保持して対向配置された掻き込み用の一対の回転部材で構成されたことを特徴とする。
【００１１】
請求項５に記載されたトイレ装置では、洗浄水が貯留された溜まり部を備えた便器本体と、
上記溜まり部内に配設された粉砕手段と、
上記粉砕手段の上方に配設された掻き込み手段とで構成され、
上記粉砕手段は、互いに噛合し合う少なくとも一対の回転刃部材を有し、
上記回転刃部材は、同軸上に所定の間隔を保持して設けられた複数の回転刃で構成され、
上記掻き込み手段は、所定の間隔を保持して対向配置された掻き込み用の一対の回転部材で構成されたことを特徴とする。
【００１２】
この発明の簡易トイレ装置では、便器の溜まり部内に粉砕手段が取り付けられる。粉砕手段は、互いに噛合する少なくとも第１および第２の回転刃部材を有する。これらの回転刃部材は、同軸上に所定の間隔を保持して設けられた複数の回転刃で構成される。
粉砕手段の上方に粉砕対象物を粉砕手段側に掻き込むための掻き込み手段を配置する。掻き込み手段は、掻き込み刃を有する複数の回転体が配された、一対の掻き込み用回転部材で構成される。掻き込み用回転部材は、掻き落とし用の爪付き回転体が使用される。
【００１３】
溜まり部の上方には開閉蓋が設けられ、汚物が落下するとその自重により開閉蓋が開いて溜まり部内に落下する。落下した汚物は掻き込み手段を構成する回転体によって粉砕手段側に掻き込まれる。粉砕手段側に掻き込まれた汚物は粉砕手段を構成する複数の回転刃の作用で細かく粉砕される。粉砕された粉砕物は溜まり部内に貯留されている洗浄水と混ざり合って流状化される。流状物は便器本体の排出口側から排出ホースを経て家庭内などに備え付けられた固定式のトイレ装置（水洗トイレ）まで導かれてその便器内に圧送されて排出される。
【００１４】
また便器内に投下されたサニタリー用品は比較的軽量であるので、通常の場合開閉蓋の上面に留まる。そのため、便蓋を閉じることで、洗浄水が便器上部から供給され、その重みで開閉蓋を開け、サニタリー用品を溜まり部側に落とし込む。落とし込まれたサニタリー用品は、掻き込み手段によって掻き込まれながら粉砕手段側に誘導される。掻き込まれることで、サニタリー用品は複数の回転刃によって切断されながら粉砕される。回転刃としてクロスカット刃を使用する場合には、この回転刃によって細かく裁断された状態で粉砕される。
【００１５】
粉砕されたサニタリー用品は溜まり部の底部に滞留する。粉砕処理中あるいは粉砕処理後に、適量の洗浄水をさらに溜まり部側に流し込むことで、粉砕されたサニタリー用品は流状化して洗浄水と共に排出口から排出される。流状物の排出は圧送処理である。
【００１６】
この発明に係る固定式のトイレ装置は家庭内などで使用される洋式のトイレ装置である。このトイレ装置においても、上述した簡易トイレ装置の基本構成がそのまま踏襲される。そのため、溜まり部を有する便器本体を有し、溜まり部内には粉砕手段と掻き込み手段が設けられる。その構成は同一である。サニタリー用品に対する粉砕処理も簡易トイレ装置と同じである。
【発明の効果】
【００１７】
この発明の簡易トイレ装置は、回転刃を互いに噛み合わせた粉砕手段を設け、その上方に掻き込み手段を設けたものである。
【００１８】
これによれば、汚物に加えて、紙おむつなどを含めたサニタリー用品を確実に粉砕処理できるので、サニタリー用品処理装置などの特別な処理装置をなくすことができる。また、粉砕手段の上方には掻き込み手段を設けることで、投下されたサニタリー用品を粉砕手段側に確実に誘導できる。その結果、サニタリー用品を確実に粉砕できる。
【００１９】
また、この発明のトイレ装置も、便器本体の溜まり部内に粉砕手段と掻き込み手段をそれぞれ設けたものである。これによれば、汚物やサニタリー用品を確実に粉砕手段に誘導してこれらを粉砕処理できる。
【発明を実施するための最良の形態】
【００２０】
続いて、この発明に係る簡易トイレ装置およびトイレ装置の好ましい実施例を図面を参照して詳細に説明する。
【００２１】
この発明に係る簡易トイレ装置は、介護用あるいは看護用として利用できる可搬型で、水洗式の簡易トイレ装置であり、この発明に係るトイレ装置は、一般家庭、ホテルその他の設備において設置される洋式トイレである。簡易トイレ装置から説明する。
【実施例１】
【００２２】
この発明に係る簡易トイレ装置１０は図１１に示すような既設トイレを利用したトイレシステムに適用できる。既設トイレを利用して可搬型の簡易トイレ装置１０内の汚物等を処理するトイレシステムは、例えば図１１のように構成することができる。
【００２３】
図１１に示すトイレシステムは、家屋１の廊下２に面して既設トイレ３が設置された例である。既設トイレ３内には便器４と洗浄用注水タンク５が設置されている。廊下２に沿ってこの例では寝室としての部屋６が位置し、部屋６内には例えばベッド７が置かれている。部屋６の一部に可搬型簡易トイレ装置１０が置かれ、既設トイレ３に出向かずに、この簡易トイレ装置１０によって用を足すことができる。
【００２４】
可搬型簡易トイレ装置１０は、水洗トイレである。そのため、給水手段と排出手段が設けられ、給水手段としての給水ホース１２は上水道に連結され、排出手段としての排出ホース１４は既設便器４に導かれる。
【００２５】
排出ホース１４は下水道管に連結することもできるが、そうすると配管工事を行う必要があり、コストが嵩む。既設便器４に排出ホース１４用の連結部を設ける場合も、便器を改造したり、新たな便器を用意しなければならないので、同じくコストが嵩む。図１２は、既設便器４をそのまま利用できるようにしたものである。
【００２６】
既設便器４をそのまま利用する場合には、排出ホース１４の先端部は例えば図１２のように連結されることになる。この例では、便座１１８の下面に設けられた台座１１８ａによって得られる既設便器４との間の空間を利用して、排出ホース１４が挿通される。既設便器４には簡単なホース抑え１２０が便座１１８に取り付けられる。排出ホース１４の先端１４ｂには制水筒部１４０が取り付けられ、排出ホース１４から吐出する流状物を減速・減圧するようにしている。
【００２７】
図１はこの発明を適用できる可搬型の簡易トイレ装置１０の一例を示す要部断面図である。この簡易トイレ装置１０は便器本体２０を有する。便器本体２０は通常の水洗式トイレ（洋式トイレ）とほぼ同じ漏斗状の断面形状をなすが、その全体形状は箱型として構成される。
【００２８】
便器本体２０を軽量化するため、この例では便器本体２０はプラスチックによる成型品であるが、陶器等の他の素材を使用して成形してもよい。便器本体２０の上部開口部側には便座２１が位置すると共に、この便座２１および上部開口部を閉塞するような便蓋２３が設けられている。
【００２９】
便器本体２０の底部がトラップ水（溜まり水）や汚物などの溜まり部１８となる。溜まり部１８に連通して断面が略「へ」の字状をなす排出部２２が設けられ、排出部２２の末端側に設けられた排出口２７に排出ホース１４が連結される。便器本体２０の背面部２０ｂに連結部２６が設けられると共に、便器本体２０の内部であって、開閉弁として機能する電磁弁２４が連結部２６に近接して設けられている。
【００３０】
電磁弁２４は、溜まり部１８内のトラップ水（汚物を含んだ水）を便器本体２０外に排出するときだけ開くように制御され、トイレを使用していないときは閉じられている。漏水を防止するためである。この電磁弁２４は漏水防止の他に、圧送手段を構成するエアコンプレッサ（後述する）を使用して溜まり部１８内を加圧するときの圧縮空気の漏洩を防止する機能もある。
【００３１】
便器本体２０の上部近辺で、排出部側の壁面１８ａには洗浄水の給水口２８が設けられている。本体背面部２０ｂに設けられた連結部３４とこの給水口２８との間には連結管３０が配される。連結管３０は分岐管が使用され、給水口２８に向かう連結管３０に洗浄水を制御するための電磁弁３２が取り付けられている。連結部３４に連結される給水ホース１２からの給水をこの電磁弁３２によって制御できるようにするためである。
【００３２】
分岐された連結管３０にも電磁弁３３を介して洗浄ホース（洗浄管）２４０が連結されている。洗浄ホース２４０の先端部は溜まり部１８のトラップ水の水面よりも上側に突出するように設けられている。この洗浄ホース２４０による注水（実際には噴射）によって、後述するように溜まり部１８の内部と開閉蓋２１２の裏面の洗浄が行われる。
【００３３】
給水口２８と壁面１８ａとの間にはゴム状の漏水防止管２９が介挿され、洗浄ホース２４０が貫通する溜まり部１８にも漏水防止管２４２が介挿され、外部への漏水の防止を図っている。
【００３４】
溜まり部１８のほぼ中央部には汚物等の粉砕手段７０が設けられる。粉砕手段７０はこの例では一対の回転刃部材７０Ａ，７０Ｂで構成される。図３ないし図６にその詳細を示す。
【００３５】
粉砕手段７０は、互いに噛合しあう関係に配置された第１および第２の回転刃部材７０Ａ，７０Ｂからなり、図６に示すように便器本体２０の左右側壁６１ａ、６１ｂに差し渡された状態で固定される。したがって第１および第２の回転刃部材７０Ａ，７０Ｂは便器本体２０の開口面に対して平行（水平）に配置される。
【００３６】
図３および図４に示すように、第１の回転刃部材７０Ａは、その回転軸７０ａに複数の回転刃７４（７４ａ、７４ｂ・・・）が所定の間隔を保持して配列される。第２の回転刃部材７０Ｂも同様に構成され、その回転軸７０ｂに同じ数か、１個多い回転刃７６（７６ａ，７６ｂ，・・・）が配列されて構成され、回転刃７４と７６とは互い違いとなるように配置される。回転刃７４，７６の大きさや設置すべき個数などは溜まり部１８内の収容スペースによって変わる。
【００３７】
図６のようなほぼ矩形状をなす溜まり部１８の場合には、４〜７枚の回転刃を使用してそれぞれの回転刃部材７０Ａ，７０Ｂが構成される。図６の例は３〜４枚の回転刃で回転刃部材７０Ａ，７０Ｂを構成した場合を示す。
【００３８】
ここで、図４に示すように互いに隣り合う回転刃７４と７６とは完全に噛み合う状態では配置されていない。それは、汚物はまだしも、取り扱うサニタリー用品は、ある程度の厚みがあることから、サニタリー用品を切断し易くするため、これらの厚みを考慮して隣り合う回転刃７４と７６との間隔や、回転軸７０ａ，７０ｂまでの対向距離が設定される。
【００３９】
回転刃７４，７６としては、先端部が刃状となっている円盤状の回転刃や、その周面部に尖端を持った楕円状の回転刃（いわゆるクロスカット刃）などを使用することができる。前者の回転刃よりも後者の回転刃の方が、短冊状に細かく裁断できる。
【００４０】
図５は後者の回転刃７４の一例を示すもので、ほぼ１８０°対向する位置に一対の尖端刃７５ａを有する。尖端刃７５ａは回転方向ａに向かって尖端刃７５ａの端面が対峙するような刃形状をなす。他方の回転刃７６においても同じ構造の尖端刃７７ａを有する（図４参照）。
【００４１】
図４に示すように、複数の回転刃７４を回転軸７０ａに取り付ける場合、尖端刃７５ａの取り付け位置は、順次所定角度（３０°程度）だけ回転位相がずれるように取り付け固定される。他方の回転刃７６にあっても順次所定角度だけ回転位相がずれた状態で回転軸７０ｂに取り付け固定される。したがって、尖端刃７５ａ，７７ａ同士が互いに対峙した状態で少許の間隙を保持しながら回転駆動される。実際には回転刃７４と７６とは噛み合った状態で駆動される訳ではないが、サニタリー用品を介在させた状態では、回転刃７４と７６とが噛み合ってサニタリー用品が裁断されることになる。細かく粉砕され、粉砕された流状物はトラップ水と混合して排出される。
【００４２】
さて、溜まり部１８内であって、図１および図２に示すように粉砕手段７０の上方には掻き込み手段８０が配置される。掻き込み手段８０は、投入口６０ａ側より投入されサニタリー用品を特に、粉砕手段７０の中心部に確実に誘導するためのものである。そのため、この掻き込み手段８０も第１および第２の掻き込み回転部材８０Ａ，８０Ｂで構成される。
【００４３】
第１の掻き込み回転部材８０Ａは、図６に示すように複数の回転体８４（８４ａ，８４ｂ，・・・）で構成される。回転体８４には図３に示すように、その周面に弓なり状をなす複数個例えば４個の掻き込み爪８５ａが一体形成されており、これらの回転体８４が所定の間隔を保持して複数個回転軸８２ａに取り付け固定される。
【００４４】
第２の掻き込み回転部材８０Ｂも同様に構成され、複数の掻き込み爪８７ａを有する回転体８６が所定の間隔を保持して複数個回転軸８２ｂに取り付け固定される。この場合、図１に示すように投下されたサニタリー用品を粉砕手段７０側、具体的には第１の回転刃部材７０Ａと第２の回転刃部材７０Ｂとの対向間隙内に落とし込めるように、掻き込み爪８５ａ、８７ａの配置位置と、これら掻き込み爪８５ａ，８７ａの互いの掻き込み方向が選定される。
【００４５】
上述した所定間隔とは、粉砕手段７０の場合よりも粗い。第１および第２の掻き込み回転部材８０Ａ，８０Ｂの対向間隔も、粉砕手段７０のそれよりも粗い。何れも粉砕機能を付与することを主たる目的とする部材ではないからである。この掻き込み手段８０にも裁断機能を付加することもできる。
【００４６】
粉砕手段７０と掻き込み手段８０は便器本体２０の側壁に、着脱自在に取り付け固定される。図６は掻き込み手段８０についての具体例を示す。
【００４７】
図６に示すように、第１の掻き込み回転部材８０Ａに設けられた回転軸８２ａの一端側を軸支するため、側壁６１ａに穿設された取り付け孔６２ａに取り付け固定される装着固定手段９０は、軸受け９０ａと、この軸受け９０ａを固定すると共に、側壁６１ａに装着される固定部９０ｂとで構成される。
【００４８】
固定部９０ｂは側壁６１ａに対して水密的に装着できるような材質が使用される。この例では比較的硬質のゴム材かプラスチック材で成形されており、この固定部９０ｂを側壁６１ａに嵌め込んで固定するようにした場合である。
【００４９】
回転軸８２ａの他端部も装着固定手段９２によって軸支される。この装着固定手段９２は、側壁６１ｂに穿設された比較的大きな取り付け孔６２ｂに装着固定される。この装着固定手段９２も上述と同じ構成であって、その内面側に取り付けられた軸受け９２ａと、この軸受け９２ａを固定する固定部９２ｂで構成される。
【００５０】
第２の掻き込み回転部材８０Ｂに関しても同じように構成されている。つまり回転軸８２ｂの一端側を軸支するため、装着固定手段９４が設けられ、他端側を軸支するための装着固定手段９６が設けられる。装着固定手段９４は軸受け９４ａと固定部９４ｂとで構成され、他方の装着固定手段９６も軸受け９６ａと固定部９６ｂとで構成される。一方の装着固定手段９４は側壁６１ａに設けられた取り付け孔６３ａに装着固定され、他方の装着固定手段９６は側壁６１ｂに設けられた比較的大きな取り付け孔６３ｂに装着固定される。
【００５１】
側壁６１ｂの外側には、回転軸８２ａ、８２ｂを駆動するための駆動手段１００が設けられる。図６および図７を参照して説明すると、それぞれの回転軸８２ａ、８２ｂには互いに噛合する歯車９７ａ、９７ｂが取り付けられると共に、この例では一方の回転軸８２ａ側に取り付けられたプーリ１０１を介して駆動モータ１０３からの回転力が伝達される。そのため、駆動モータ１０３側のプーリ１０２と、回転軸８２ａ側のプーリ１０１とがベルト１０４によって連結される。
【００５２】
また、駆動モータ１０３側からの回転力を粉砕手段７０側にも伝達するため、図７に示すような回転力の伝達系が構成される。そのため、粉砕手段７０に設けられた回転軸７０ａ、７０ｂに関連して互いに噛合する一対の歯車９８ａ、９８ｂが設けられると共に、この例では回転軸８２ａに設けられた歯車８４ａから中間歯車９９を介して歯車９８ａ側に回転力が伝達される構成となっている。
【００５３】
駆動手段１００や歯車９７ａ、９７ｂなどは、外部に露呈しないように矩形状をなすケース１１０によってカバーされている。
【００５４】
再び、図１を参照して説明する。便器本体２０の底面板２０ｃの内側にはＣＰＵなどで構成された制御部５０が配される。上述した排出用電磁弁２４、給水用電磁弁３２、３３などが制御部５０によって所定のタイミングで所定の時間だけ制御される。制御部５０用の電源スイッチ５２は本体背面部２０ｂに設けられ、本体上面部であって、便蓋２３の下面には開閉スイッチ５５が設けられている。
【００５５】
この簡易トイレ装置１０はさらに以下の構造を有する。図１に示すように、便器本体２０における溜まり部１８の上部であって、給水口２８よりも下側の所定位置には、溜まり部１８に所定の圧縮空気を送給するための粉砕物用圧送手段２００が設けられる。この溜まり部１８の上部であって、圧送手段２００の取り付け位置よりも若干上部側に縮径部２３０が設けられる。
【００５６】
圧送手段２００はエアコンプレッサで構成することができ、このエアコンプレッサ２００の送給管２０４が取り付け手段２０６を介して溜まり部１８側に導出される。取り付け手段２０６は溜まり部１８のトラップ水の水面より上部に設けられる。エアコンプレッサ２００は便器本体２０の背面空間部２０ａ内に設けられた取り付け板２０２に固定される。
【００５７】
縮径部２３０は環状フランジ部（庇部）として構成され、溜まり部１８の内面に向かうように所定長だけ突出している。上述した送給管２０４は溜まり部１８のトラップ水と縮径部２３０との間に位置している。
【００５８】
縮径部２３０は図１からも明らかなように、その全体が多少排出部２２側に傾斜するように設けられている。縮径部２３０の下面側には、この縮径部２３０を閉塞できるように、この例では回動式の開閉蓋機構２１０が設けられている。
【００５９】
開閉蓋機構２１０は蓋本体２１２を有し、この蓋本体２１２の一端、図の例では右端部が回動軸部２１４となされ、この回動軸部２１４が縮径部２３０の下面部２３２に位置するように、便器本体２０に対して回動自在に軸支される。この軸支部は便器本体２０に対して水密的に軸支されている。
【００６０】
蓋本体２１２は、その周面が縮径部２３０の下面縁部２３４と当接した状態となるように付勢される。蓋本体２１２は下面縁部２３４に沿った形状をなすと共に、通常はこの下面縁部２３４に接触して溜まり部１８内を密閉できるように、回動軸部２１４と下面部２３２の壁面との間には付勢用のバネ２１６が巻き付けられている。
【００６１】
縮径部２３０は排出部２２側に多少傾斜するように設けられているので、開閉蓋機構２１０を構成する蓋本体２１２自体も、排出部２２側に傾いて取り付けられる。このように蓋本体２１２を傾けて取り付けるようにすれば、蓋本体２１２の上面に落下した汚物を残らず、その自重によって溜まり部１８内に落とし込むことができる。
【００６２】
上述した洗浄ホース２４０は、蓋本体２１２の裏面側と溜まり部１８の周面の一部の双方に、洗浄水を噴射できるような角度をもってその先端部が溜まり部１８内に取り付けられる。この例では蓋本体２１２の回動軸部２１４の近傍であって、その下部側に液密的に取り付け固定される。便器本体２０には給水ホース１２と排出ホース１４とが連結されると共に、それらは既設トイレ３内の便器４内に導かれる。
【００６３】
上述した開閉スイッチ５５は便座２１の上部を閉蓋するための便蓋２３の開閉に関連してオンオフする。制御部５０からの制御信号によって上述した排出用電磁弁２４、給水用電磁弁３２、洗浄用電磁弁３３およびエアコンプレッサ２００の各駆動状態が制御される。
【００６４】
図８は簡易トイレ装置を駆動するための制御系５０の一例を示す。この例ではＣＰＵで構成された制御部５１を有し、この制御部５１には簡易トイレ装置に設けられた電源スイッチ５２と開閉スイッチ５５の各制御信号が供給される。電源スイッチ５２および粉砕スイッチ５５は何れも温水シャワーを備えた水洗制御部の操作パネル（何れも図示せず）に装備することができる。
【００６５】
制御部５１からの制御信号に基づいて、この例では粉砕用の駆動モータ１０３を始めとして、複数の電磁弁、２４，３２，３３やエアコンプレッサ２００が所定のタイミングで制御される。
【００６６】
図９にそのタイミングチャートの一例を示す。図９は電源スイッチ１６２を投入した後のタイミングチャートを示す。排便が行われると、その自重によって開閉蓋２１２が開き、溜まり部１８内に落下する（図２参照）。汚物の一部が開閉蓋２１２に残留することが考えられるので、この例では以下の処理を行う。まず、排便が終わると便蓋２３が閉じられる（図９Ａ）。
【００６７】
便蓋２３が閉じられたことが開閉スイッチ５５によって検知されると（図９Ｂ）、給水用の電磁弁３２が開き、一定時間Ｔｄだけ洗浄水が便器本体２０内に供給される（図９Ｄ）。この洗浄水の供給によって開閉蓋２１２が開き、残留した排泄物が溜まり部１８内に落下する。
【００６８】
一定時間Ｔｄの給水が終了すると、モータ１０３を駆動して粉砕処理がスタートする（図９Ｃ）。モータ１０３が駆動されると、掻き込み手段８０が駆動されるので、落下した排泄物が回転体８４，８６によって粉砕手段７０側に掻き込まれる。粉砕手段７０も同時に駆動されるので、掻き込まれた排泄物は噛合する回転刃７４，７６同士の作用で、細かく粉砕される。
【００６９】
粉砕手段７０は多数の回転刃によって構成されているので、汚物は回転刃７４と７６との間に食い込まれることで、噛合する回転刃７４，７６同士の作用で、短冊状に裁断される。
【００７０】
粉砕処理時間Ｔａが経過する前の所定時間、この例では粉砕処理が開始されてから所定時間Ｔｅ後にエアコンプレッサ２００が動作して溜まり部１８内の加圧処理が行われる（図９Ｆ）。規定の内圧（例えば２気圧程度）まで上昇する時間Ｔｂが経過すると、給水用の電磁弁３２が開いて洗浄水が便器本体２０に所定期間Ｔｆだけ供給される（図９Ｄ）。同時に、排出用の電磁弁２４が開く（図９Ｅ）。電磁弁２４が開くと、溜まり部１８内の粉砕物（溜まり部１８内の洗浄水によって流状化されている）は排出口２２側に圧送される（図９Ｆ）。圧送された粉砕物は排出ホース１４を介して便器４内に排出される。
【００７１】
この圧送および排出処理は所定期間Ｔｃに亘って行われるが、その後エアコンプレッサ２００の駆動を停止すると共に、排出用の電磁弁２４も閉じられる（図９Ｅ，Ｆ）。給水用の電磁弁３２は開いたままであるから、開いている期間Ｔｄの間だけ溜まり部１８内に洗浄水がトラップされる。またこの排出処理が終了すると、給水用の電磁弁３３も開いて、溜まり部１８内および開閉蓋２１２側に洗浄水が噴射されて、それらの洗浄処理が実行される。したがって粉砕手段７０と掻き込み手段８０に対しても洗浄処理が行われたことになる。
【００７２】
便器本体２０内にサニタリー用品が投下された場合も同じような処理が実行される。この場合には、サニタリー用品によっては開閉蓋２１２が開かない場合が多いが、期間Ｔｄに亘り洗浄水を供給することで、それらの自重によって開閉蓋２１２が開いてサニタリー用品が溜まり部１８内に落下する。
【００７３】
掻き込み手段８０によって掻き込まれたサニタリー用品（上述したように紙おむつなどを含む）も、回転刃７４と７６との間に食い込まれることで、サニタリー用品は噛合する回転刃７４，７６同士の作用で、短冊状に裁断される。回転刃はクロスカット刃であるので、短冊状に裁断されたサニタリー用品はさらに細かく裁断されて粉砕される。
【００７４】
粉砕したサニタリー用品は水分を含んだ状態で溜まり部１８の底部に落下する。
粉砕されたサニタリー用品は洗浄水によって軟化して流状体となっているから、粉砕されたサニタリー用品の排出がスムーズになる。
【００７５】
汚物以外に成人用品までのサニタリー用品を考慮すると、粉砕処理時間Ｔａや給水時間Ｔｄなどは比較的長目に選定される。処理に応じて、５〜２０秒位に設定されている。これらの処理時間を外部から調整できるように構成することもできる。例えば、外部に設けた調整ボタンによって「短、中、長」のような３段階に切り替えられるようにすることも可能である。
【００７６】
便器本体２０には通常所定の水量が洗浄水としてトラップ（貯留）されている。この洗浄水は通常溜まり部１８内を満たすようにトラップされ、汚物などを排水管側に排出し易くしている。この場合、汚物やサニタリー用品などを粉砕し易くするために、図１に示すように、少なくとも粉砕手段７０を満たすように、この例では掻き込み手段８０も満たすように洗浄水がトラップされている。
【００７７】
可搬型の簡易トイレ装置１０を移動したり、撤去するときには、溜まり部１８内のトラップ水は排出しておいた方が好ましい。この水抜き処理は、上述した排出処理とは独立して行われる。その場合には、図１０に示すように水抜きスイッチ２４４をオンにして、エアコンプレッサ２００を作動させる（図１０Ａ，Ｃ）。エアコンプレッサ２００の始動によって溜まり部１８内は加圧される（図１０Ｃ）。期間Ｔｇに亘る加圧処理が終了すると、排出用電磁弁２４が作動して所定期間Ｔｈに亘り排出口が開けられる（図１０Ｂ）。
【００７８】
この加圧圧送によってトラップ水を溜まり部１８内から排出することができる。そして、エアコンプレッサ２００の駆動が停止されてから若干時間ΔＴｈを置いて排出用電磁弁２４を閉じる。こうすることで、トラップ水の排出処理（水抜き処理）が完了する。ここで、期間Ｔｇは上述した時間Ｔｂに、期間Ｔｈは時間Ｔｃにセットすればよい。
【実施例２】
【００７９】
実施例２は、この発明を家庭内などで使用されるトイレ装置（洋式トイレ）に適用した場合である。その基本構成は簡易トイレ装置と同じである。つまり、溜まり部を有する便器本体を有し、比較的大き目に設計された溜まり部内に、粉砕手段と掻き込み手段がそれぞれ所定の間隔を保持して配置される。粉砕物圧送手段や開閉蓋は省略することもできる。
【００８０】
粉砕物圧送手段を省略できるとしたのは、家庭内などで使用されるこの固定式のトイレ装置では、このトイレ装置に接続される排水管は相応に大径であり、また粉砕物の流下用としての洗浄水を充分に供給することができるため、必ずしも粉砕物を圧送する必要がないからである。
【００８１】
掻き込み手段によって汚物やサニタリー用品を粉砕手段側に誘導し、そして粉砕手段によって汚物やサニタリー用品などを粉砕処理する。したがってその構成や粉砕処理は何れも上述した簡易トイレ装置と同様であるので、その説明は割愛する。
【産業上の利用可能性】
【００８２】
この発明は、家庭用のみならず、各種病院、老人介護施設などに使用されることがある簡易トイレ装置や固定式のトイレ装置に適用できる。
【図面の簡単な説明】
【００８３】
【図１】この発明に係る簡易トイレ装置の一例を示す縦断面図である。
【図２】開閉蓋が開いた状態の図１と同様な縦断面図である。
【図３】粉砕手段と掻き込み手段との関係を示す側面図である。
【図４】粉砕手段の構成を示す平面図である。
【図５】回転刃の一例を示す図である。
【図６】掻き込み手段を上面から見た平面図である。
【図７】その側面図である。
【図８】この発明に係る簡易トイレ装置の制御系を示す要部の構成図である。
【図９】そのタイミングチャートの一例を示す図である。
【図１０】水抜き処理時のタイミングチャートの一例を示す図である。
【図１１】トイレシステムの一例を示す構成図である。
【図１２】便器と排出ホースとの関係を示す図である。
【符号の説明】
【００８４】
１０・・・簡易トイレ装置、１８・・・溜まり部、２０・・・便器本体、２２・・・排出部、２８・・・給水口、７０・・・粉砕手段、７０Ａ，７０Ｂ・・・回転刃部材、７４，７６・・・回転刃、８０・・・掻き込み手段、８０Ａ，８０Ｂ・・・回転部材、８４，８６・・・回転体、１００・・・駆動手段、２００・・・粉砕物圧送手段、２１０・・・開閉蓋機構
【図１】
2007239263.tif 000003
【図２】
2007239263.tif 000004
【図３】
2007239263.tif 000005
【図４】
2007239263.tif 000006
【図５】
2007239263.tif 000007
【図６】
2007239263.tif 000008
【図７】
2007239263.tif 000009
【図８】
2007239263.tif 000010
【図９】
2007239263.tif 000011
【図１０】
2007239263.tif 000012
【図１１】
2007239263.tif 000013
【図１２】
2007239263.tif 000014